(57)【特許請求の範囲】
【請求項１】
コンテンツデータベースから選択されたコンテンツデータを、複数のユーザの各々に対する個々のデータストリームとして配信するシステムにおいて、コンピュータで実行される方法であって、
個々のデータストリームに関する所定のアーティストがユーザによって選択されると、そのユーザ選択を少なくとも１つのコンピュータで受信するステップと、
前記少なくとも１つのコンピュータによって、前記データストリームのコンテンツデータのアーティストに対するユーザのレーティング情報が蓄積された嗜好データベースから、前記所定のアーティストに対する該レーティング情報が第１のレーティング閾値を超える第１のユーザ群を決定するステップと、
前記少なくとも１つのコンピュータによって、前記第１のユーザ群の各ユーザの前記レーティング情報が第２のレーティング閾値を超える前記所定のアーティスト以外の１人又はそれ以上のアーティストを前記嗜好データベースから検索するステップと、
前記少なくとも１つのコンピュータによって、前記所定のアーティストのコンテンツデータを含む、前記ユーザに対する前記個々のデータストリームを定めるステップであって、前記嗜好データベースに蓄積された前記第１のユーザ群のレーティング情報及び前記個々のデータストリーム内に含める前記第２のレーティング閾値に基づき検索された前記所定のアーティスト以外の１人又はそれ以上のアーティストのうち少なくとも１人のアーティストのコンテンツデータを選択することを含むステップと、
前記少なくとも１つのコンピュータによって、且つデータストリーム送信システムを介して、前記個々のデータストリームを少なくとも１つのユーザ・コンピュータに送信するステップと、
を含むことを特徴とする方法。
【請求項２】
前記第２のレーティング閾値は肯定的なレーティング閾値であり、
前記選択することは、前記少なくとも１つのコンピュータによって、前記第１のユーザ群の肯定的なレーティング情報に従い、且つ前記第１のユーザ群の否定的なレーティング情報に対する偏りに従い、前記少なくとも１人のアーティストのコンテンツデータを選択することを更に含む、請求項１に記載のコンピュータで実行される方法。
【請求項３】
前記嗜好データベースは、少なくとも前記第１のユーザ群のユーザと同数のユーザを有する第２のユーザ群のユーザから受信された前記データストリームのコンテンツデータのアーティストに対するユーザのレーティング情報を含み、
前記第１のユーザ群を決定するステップは、前記少なくとも１つのコンピュータによって、前記第２のユーザ群のユーザを含む前記第１のユーザ群を、前記第２のユーザ群から決定するステップを更に含むことを特徴とする請求項１に記載のコンピュータで実行される方法。
【請求項４】
前記少なくとも１つのコンピュータによって、前記第２のユーザ群から、前記データストリームのコンテンツデータのアーティストに対するユーザの新たなレーティング情報を受信するステップと、
前記少なくとも１つのコンピュータによって、前記受信された新たなレーティング情報に基づき前記第１のユーザ群を決定するステップ、前記所定のアーティスト以外の１人又はそれ以上のアーティストを前記嗜好データベースから検索するステップ、及び前記個々のデータストリームを定めるステップを繰り返すステップと、
を更に含む、請求項３に記載のコンピュータで実行される方法。
【請求項５】
前記個々のデータストリームを定めるステップは、
検索された前記所定のアーティスト以外の１人又はそれ以上のアーティストを、オンライン送信を管理するための録音物に関する規制スキームに従って更にフィルタリングすることにより、前記個々のデータストリーム内に含めるコンテンツデータに関する少なくとも１人のアーティストを選択することを更に含む、請求項１に記載のコンピュータで実行される方法。
【請求項６】
前記送信するステップは、
前記少なくとも１つのコンピュータによって、且つ前記データストリーム送信システムを介して、随意的又は選択可能に、前記個々のデータストリームを前記少なくとも１つのユーザ・コンピュータに送信するステップを更に含むことを特徴とする請求項１に記載のコンピュータで実行される方法。
【請求項７】
前記レーティング情報は、１〜１００のスケール及び少なくとも１つの前記第１のレーティング閾値に対応し、前記第２の閾値は７０であることを特徴とする請求項１に記載のコンピュータで実行される方法。
【請求項８】
前記個々のデータストリームを定めるステップは、
前記所定のアーティスト以外の１人又はそれ以上のアーティストから前記少なくとも１人のアーティストを選択するため、前記所定のアーティスト以外の１人又はそれ以上のアーティストをフィルタリングすること、を更に含み、前記フィルタリングに関する前記第１のユーザ群の閾値の値は、前記各アーティストに対して少なくとも前記第２のレーティング閾値を超えるレーティング情報を有する、
請求項１に記載のコンピュータで実行される方法。
【請求項９】
前記コンテンツデータベースは、オーディオ及び／又はビデオデータストリーム要素を含む、請求項１に記載のコンピュータで実行される方法。
【請求項１０】
コンテンツデータベースから選択されたコンテンツデータを、複数のユーザの各々に対する個々のデータストリームとして配信するシステムであって、
前記データストリームのコンテンツデータのアーティストに対するユーザのレーティング情報が蓄積された嗜好データベースと、
個々のデータストリームに関する所定のアーティストがユーザによって選択されると、そのユーザ選択を受信する受信部と、
前記嗜好データベースから第１のユーザ群を決定する決定部とを含み、前記第１のユーザ群の前記所定のアーティストに対するレーティング情報は、第１のレーティング閾値を超え、さらに、
前記所定のアーティストに対する第１のユーザ群のレーティング情報が第１のレーティング閾値を超える第１のユーザ群を、前記嗜好データベースから決定する決定部と、
前記第１のユーザ群の各ユーザのレーティング情報が第２のレーティング閾値を超える前記所定のアーティスト以外の１人又はそれ以上のアーティストを前記嗜好データベースから検索する検索部と、
前記所定のアーティストのコンテンツデータを含む、前記ユーザに対する個々のデータストリームを定める選択部であって、前記嗜好データベースに蓄積された前記第１のユーザ群のレーティング情報及び前記個々のデータストリームに含める前記第２のレーティング閾値に基づいて検索された前記所定のアーティスト以外の１人又はそれ以上のアーティストの少なくとも１人のアーティストのコンテンツデータを選択する当該選択部と、
データストリーム送信システムを介して、前記個々のデータストリームを少なくとも１つのユーザ・コンピュータに送信する送信部と、
を含むことを特徴とするシステム。
【請求項１１】
前記第２のレーティング閾値は肯定的なレーティング閾値であり、前記選択することは、前記第１のユーザ群の肯定的なレーティング情報に従い、且つ前記第１のユーザ群の否定的なレーティング情報に対する偏りに従い、前記少なくとも１人のアーティストのコンテンツデータを選択するように更に構成された、請求項１０に記載のシステム。
【請求項１２】
前記嗜好データベースは、少なくとも前記第１のユーザ群のユーザと同数のユーザを有する第２のユーザ群のユーザから受信された前記データストリームのコンテンツデータのアーティストに対するユーザのレーティング情報を含み、
前記決定部は、前記第２のユーザ群のユーザを含む前記第１のユーザ群を、前記第２のユーザ群から決定するように更に構成されたことを特徴とする請求項１０に記載のシステム。
【請求項１３】
前記第２のユーザ群から、前記データストリームのコンテンツデータのアーティストに対するユーザの新たなレーティング情報を受信し、該受信された新たなレーティング情報に基づき前記第１のユーザ群を決定し、前記所定のアーティスト以外の１人又はそれ以上のアーティストを前記嗜好データベースから検索し、前記個々のデータストリームを定めることを繰り返すように更に構成されたことを特徴とする請求項１２に記載のシステム。
【請求項１４】
前記選択部は、前記検索された前記所定のアーティスト以外の１人又はそれ以上のアーティストを、オンライン送信を管理するための録音物に関する規制スキームに従って更にフィルタリングすることにより、前記個々のデータストリーム内に含めるコンテンツデータに関する少なくとも１人のアーティストを選択するように更に構成されたことを特徴とする請求項１０に記載のシステム。
【請求項１５】
前記送信部は、前記データストリーム送信システムを介して、随意的又は選択可能に、前記個々のデータストリームを前記少なくとも１つのユーザ・コンピュータに送信するように更に構成されたことを特徴とする請求項１０に記載のシステム。
【請求項１６】
前記レーティング情報は、１〜１００のスケール及び少なくとも１つの前記第１のレーティング閾値に対応し、前記第２の閾値は７０であることを特徴とする請求項１０に記載のシステム。
【請求項１７】
前記選択部は、前記所定のアーティスト以外の１人又はそれ以上のアーティストから前記少なくとも１人のアーティストを選択するため、前記所定のアーティスト以外の１人又はそれ以上のアーティストをフィルタリングし、
前記フィルタリングに関する前記第１のユーザ群の閾値の値は、前記各アーティストに対して少なくとも前記第２のレーティング閾値を超えるレーティング情報を有する
ように更に構成されたことを特徴とする請求項１０に記載のシステム。
【請求項１８】
前記コンテンツデータベースは、オーディオ及び／又はビデオデータストリーム要素を含むことを特徴とする請求項１０に記載のシステム。
【発明の詳細な説明】
【技術分野】
【０００１】
本発明は、データベース生成及びデータストリーム送信に関し、特に、同じ嗜好を楽しむ加入者又はファン(fan)のコミュニティによる偏りが付けられた(biased)データストリーム送信の方法に関する。
【背景技術】
【０００２】
オンライン環境では、デジタル娯楽はデジタル・ミレニアム著作権法（DMCA、1998年のデジタル・ミレニアム著作権法、公法105−304）に基づくアメリカ合衆国の法令によって制限されている。オンライン娯楽の合法的なプロバイダはDMCAに従って、インターネット又はその他のオンライン環境に発信される著作権のある作品に対してのライセンス料を支払わなければならない。さもなくば、そのようなプロバイダは著作権侵害の責任を負わされる。
【０００３】
デジタル・ミレニアム著作権法（DMCA）は、オンライン送信される著作権のある作品に対する保護を扱っている。DMCAは、楽曲をストリーミングするウェブサイトに、所定の必要条件を満たしている限り、著作権のある録音物(sound recording)を実演する(perform)法定のライセンスを与える。これら必要条件は、数ある中で、3時間を越えてストリーミングしない、同じ録音物から3曲より多く又は連続して2曲より多くストリーミングしない、同じ録音物のアーティストやアンソロジーから4曲より多く又は連続して3曲より多くストリーミングしないことによって、更に、例えばユーザがオンデマンドのプログラムを固有に作成したり又はリクエストしたり、指定時間にプログラムを視聴したりすることを許可しないことでインタラクティブでないフォーマットに楽曲を発信することによって順守される。更に、DMCAに順守するには、楽曲及びアーティストのプレイリストを事前に発表しないことが要求される。
【０００４】
オンライン環境で、コンテンツのプロバイダは各個人にデータフィードを「ナローキャスト(narrowcast)」することができ、何千もの個々のナローキャスト送信が同時に行われてもDMCAを順守することができる。例えば、個々のナローキャストがDMCAに違反しない限り、DMCAの順守は維持される。
【０００５】
「ナローキャスティング」は当技術分野において新しいと言い得る用語である。情報が幅広い関係でブロードキャストされ、通常はチャンネルを合わせた受信機を持つ人なら誰でも利用可能である「ブロードキャスティング」と対照的に、「ナローキャスティング」はTCP／IPプロトコルで用いられる個々にアドレス指定可能なデータパケットから生じる。パケットは個々のコンピュータにアドレス指定され、インターネット上のデータ送信形式をほぼ全て含んでいる。従って、インターネット上でブロードキャスティングがなされる場合、それは各々が視聴者のコンピュータに個々にアドレス指定される必要のあるナローキャストパケットの束で概ね構成されている。これは、同じコンテンツを同時に複数のコンピュータが受信している場合でさえ当てはまる。たとえパケットが同一であっても各コンピュータは個々にアドレス指定される必要がある。生演奏又はライブ放送等のようにインターネットコンテンツに対する要求が高い場合、送信をリクエストする全ての人に対してバンド幅が十分でない可能性がある。
【０００６】
インターネット通信及びTCP／IPプロトコルによって、ナローキャスティングは情報パケットを送信する基本的且つ容易な方法の1つである。マルチキャスティングを用いることもできるが（Bob Quinn著、Killer Network Apps That Aren't Network Killers、Dr.Dobb's Journal誌、1997年10月、参照）、オープンインターネット上でマルチキャストを実行する上での技術的な障害による欠点を有している。他のプロトコル（FTP等）も存在する。
【０００７】
LAUNCHcast（商標）システム（引用により本願明細書に組み入れるPCT国際出願番号第WO 01/35667 A1号の主題）の下では、各加入者は、そのユーザ／加入者に関連するアカウントに記録及び保存される、表された嗜好によって自身のナローキャストを「調整(tune)」することができる。
【０００８】
このLAUNCHcast（商標）システムは、視聴者／個人の嗜好によるナローキャストに偏りを付けつつ、DMCAの順守を維持する手段を提供する。（例えば）音楽データストリームに関する個人の嗜好を送信要求し、受信し、記録することによって、LAUNCH Media社は各個人の音楽的嗜好を満たすだけでなく、DMCAも順守するデジタルオーディオフィードを加入者に提供する。個人の嗜好がわずかである場合には、DMCAに違反する送信となるためにその個人の好みの楽曲では埋められない「放送時間(airtime)」又は「正味の時間(nettime)」を埋めるために付加的な楽曲が用いられる。反対に、嗜好の幅が広い個人では、その個人の嗜好から外れる作品はデータストリーム中で極めて少数となる。
【０００９】
ある種の音楽又はアーティストを楽しむ人達が、別の種類の音楽又はアーティストも楽しむという、両者の間の関連性が、明白な因果関係なく出現することが非常に多い。例えば、Barry Manilowの音楽を楽しむ個人は、ランダムな統計学的発生率を超える高い割合でNeil Sedakaの音楽も楽しむ。その結果、レーティングシステム(rating system)又はレーティングエンジン(rating engine)を伴う場合、Barry Manilowを愛好する個人は過去にNeil Sedakaの音楽を聴いたことがないにも関わらずNeil Sedakaの音楽を歓迎し得る。
【００１０】
本発明は、DMCAの順守を維持しつつ、リスナー又は消費者の楽しみのためのナローキャスト放送の性能の向上を可能にする。リスナー／消費者のコミュニティを特定のアーティスト又はジャンルの周りに関連付けることによって、オンラインデータストリーム娯楽サービスの加入者又はリスナーには、該当する複数のアーティスト、個々のアーティスト、複数のジャンル、又は個々のジャンルを楽しむ人達に基づくコミュニティの偏りを用いることでデータストリームが自身の嗜好を満足させるようにされているため、より焦点の合った且つ楽しむことのできる体験が提供される。
【００１１】
本明細書中で説明されている方法は、オーディオデータストリームだけに関するものではなく、ビデオやマルチメディアを含む、嗜好の存在し得る任意の種類のデータストリームに関するものであることに注意されたい。娯楽データストリームは特に個人の嗜好の影響を強く受けるが、本発明によって、適用可能な著作権法を順守しつつ、加入者又はリスナーのコミュニティにおいて表された嗜好に動的に適応していくことの必要性が解決される。
【００１２】
アドレッシングマルチキャスティング(addressing multicasting)の論文には以下のものが含まれる。
【００１３】
インターネット上の
http://www.laynetworks.com/users/webs/tcp_udp.htmに公表されている、Indira Gandhi National Open University, Comparative analysis TCP - UDP、
インターネット上の
http://www.ddj.com/articles/1997/9710/9710b/9710b.htmに公表されている、Bob Quinn著、Killer Network Apps That Aren't Network Killers、Dr.Dobb's Journal誌、1997年10月。
【発明の開示】
【００１４】
本発明は、特定の種類のデータストリームを嗜好する人々により偏りが付けられた、偏り付けされたデータストリームを提供する。上の例を用いると、Barry Manilowを楽しむコミュニティを用いて、Barry Manilowの楽曲、及びBarry Manilowのコミュニティのメンバーが楽しむ楽曲の両方に、データストリームを偏り付けできるであろう。その結果、Barry Manilowのコミュニティのメンバーの各々のフィードバックにより表された嗜好を用いることによって、Barry Manilowベースのステーション又はデータストリームのセットが現れる。そのような偏り付けされたデータストリームは、どのナローキャスト送信もDMCAに違反しないように、DMCAの制約に従うことができるが、データストリーム送信は、全体として、Barry Manilowのコミュニティにより表された嗜好により偏り付けされる。
【００１５】
そのようなデータストリームの偏り付けは、メンバーの数が多く、且つそのメンバーが楽しむ音楽の種類に関する嗜好を数多く表す場合に、より正しく(robust)且つ信頼性のあるものとなる。
【００１６】
本明細書で用いられる用語「音楽」は、嗜好又は好みに従った任意のデータストリームの簡略表現(shorthand)として用いられることに留意すべきである。音楽データストリームは、他に示されない限り、すべての他のデータストリームが同等になぞらえることができる基本的なアナロジーを形成する。これに加えて、嗜好するアーティストとしてBarry Manilowを用いることは任意であり、Melissa Etheridge、Karen Carpenter、Rosemary Clooney、Phil Harris、Hank Williams、Led Zeppelin、Luciano Pavarotti、又はSpike Jonesといった最新の、現代の、又はクラッシックのアーティストに代えることができるであろう。
【発明を実施するための最良の形態】
【００１７】
以下に付随の図面と関連して示される詳細な説明は、本発明の現在の好適な実施形態を説明することを意図したものであり、本発明が構成及び／又は利用され得る唯一の形式を示すことを意図したものではない。説明では、図示された実施形態と関連させて、本発明を構成及び作動させるための機能及び一連のステップを示している。しかしながら、本発明の精神及び範囲内に包含されることが意図される種々の実施形態によっても、同じ又は同等の機能及び一連のステップが達成され得ることを理解されたい。
【００１８】
本発明は、共有される音楽的嗜好に基づいてコミュニティを設ける(establish)ことにある。楽曲に関する好み及びフィードバックを統計学的に有意な数だけ受信及び記録すると、あるアーティストを好む人達は、そのアーティストのファンが識別されるようなバックグラウンドを形成することができる他のユーザ達から区別されることができる。
【００１９】
図１〜図８は、現代のアーティストTori Amosの例を用いて本発明の代替的な商業的プレゼンテーションを示している。LAUNCH Mediaは、そのライブラリの中のほぼ全てのアーティストに関して、そのアーティストによる作品の購入を含む、追加的情報へのリンクをユーザ／加入者が選択することができる、アーティストのホームページを保持する。ホームページのオプションとして、興味を持った個人は、そのアーティストを愛好する（この場合はTori Amosを愛好する）ユーザ達の嗜好に基づいたオーディオストリームの聴取を選択することができる。
【００２０】
Tori Amosホームページ(図３、図４、図７、及び図８)のファンステーション(fan station)のセクションにおける「聴く(listen)」リンク又は「見る(watch)」リンクを選択することによって、個人はTori Amosを愛好するコミュニティにより偏りが付けられたデータストリームを受信することができる。Tori Amosコミュニティは他の音楽的嗜好を共有する傾向があるので、ファンステーションのリンクの選択から得られるデータストリームもそのリンクを選択した個人を楽しませることができる。なぜならば、アーティストTom Amosという嗜好が一致したように、その個人の嗜好が全体としてのTori Amosコミュニティの嗜好と一致することができるからである。
【００２１】
コミュニティの嗜好を決定するために、加入者データベースのそのアーティストの「ファン(fan)」である人達だけが用いられている。用語「ファン」は、0を最も好きでないアーティスト、100を最も好きなアーティストとした、100のスケールで、Tori Amosの70以上にレーティングした加入者というように、任意に定義することができる。この選択は任意であるが、そのコミュニティのチャンネルを聴取することを選択した人達を楽しませ、又は大喜びさせるのに十分な偏り付けを反映することが必要である。
【００２２】
対象のコミュニティ（例えば、Tori Amosのファン達）を決定すると、Tori Amosのファンであると指定された同じ人達から、他の嗜好に関する副次的なデータが集められる。例えば、１つの実施形態において、Tori Amosを除くレーティングされた他の全てのアーティストが、コミュニティの各メンバーについて調べられる。同じく70以上の得点が付けられたアーティスト達が注目され、一時的にデータベースに蓄積される。コミュニティの全てのメンバーの評価が集計された後、その評価の70%にあるアーティスト達が、Tori Amosファンステーションを選択した人達にナローキャストで２次的な音楽選択として音楽が送信されるアーティストとして選択されることができる。
【００２３】
代替実施形態において、副次的アーティストは（上の実施形態のように70%といった、又は他の）下限の閾値がなく、人気によって選択されることができる。別の代替実施形態において、コミュニティによってレーティングされた楽曲はアーティストのレーティングを引き継ぎ、種々のアーティスト達による楽曲のポートフォリオと違って、個々の楽曲がコミュニティの嗜好からナローキャスト送信のために選択される（この場合もやはりコミュニティの嗜好による）。
【００２４】
このようにして、コミュニティを定め、その嗜好を決定することができる。もちろん、ビデオ、マルチメディア等を含む上記の例の中で述べたような音楽／オーディオのデータストリームを、好み又は嗜好に従った他のデータストリームに代えることができる。
【００２５】
本発明は、図９に図示されている。図９に示されるように、本発明９００は、コミュニティの嗜好と一致するデータストリームを提供するための、コミュニティの偏りシステムを実現するためのステップを提供する。本発明の、コミュニティの偏りを用いたオンライン再生システム９００は、まず統計学的有意性を持つデータベースを設けること（９１０）で開始される。このデータベースは、LAUNCHcast（商標）等のシステムの全ユーザで構成されるものとすることができる。そのような統計学的に非常に大きいデータベースは、個々の加入者のアーティストの嗜好の入力(entries)を有する。そのような嗜好は、嗜好され、及び嗜好されない（好きな、及び嫌いな）アーティスト及び楽曲、並びに加入者又は受信者が好み、又は好まないアルバムを含むことができる。
【００２６】
加入者コミュニティ全体は一般に、本発明が動作する、アーティストの、又は選択的な(preferential)「空間(space)」を規定する。そのような幾何学構造的な視点を用いると、アーティストのデータベースの、あるサブエリアを本明細書に述べられるコミュニティ嗜好システム９００の対象とすることができる。本発明を実現するために、コミュニティを規定するものに関してある範囲設定がなされる必要があり、加入者／受信者によって表された嗜好はこの容量において機能する。
【００２７】
統計学的有意性というのは相対的な用語である。本発明の目的は、娯楽又はその他の所望のデータストリームを受信者に提供することである。ここでは、データストリームは楽曲又は音楽ビデオである。しかしながら、データストリームのコンテンツ又は種類に対する嗜好が表された加入者データベースに従う他のデータストリームも又、本発明に好適に用いることができ、本発明、及び本明細書に記載された特許請求の範囲内にある。統計学的有意性は、ある嗜好が区切られ、及び／又は他と区別されるようにする、ある閾値基準という形で生じる。一般的には、カントリーミュージックを聴く人達がヘビーメタルの音楽を聞きたいと思わないかもしれない。ラップを愛好する人達は又、ヒップホップミュージックを聴きたいと思うかもしれない。クラシック音楽を楽しむ人達はスイング又はポルカの音楽を楽しまないかもしれない。加入者及びデータストリームの両方の利用可能なデータベース次第で、モーツァルト全集コミュニティチャンネル又はベートーベン全集コミュニティチャンネルといった、あるサブジャンルを利用可能とすることができる。
【００２８】
フィードバックは、コミュニティの偏り付けされたデータストリームの受信者から得ることができるが、本発明は一般に、ある人がアーティスト等の「ファン」であるとみなせるレーティング閾値として約「70」の経験則を用いる。この「70」というレーティングは、その個人が嗜好するアーティストの上位三分の一(1/3)の中に入るアーティストであることを示すものとして解釈することができる。正確な数値的基準は、本発明での使用のために利用可能な「空間」の範囲、並びに加入者及びデータストリームの数に依存し得るが、この上位1/3の領域の中にあることによってコミュニティが規定されることができる。一般に、加入者及びデータストリームの元の及び１次のデータベースが広範で数が大きいほど、閾値レーティングはより高く排他的(exclusive)になる。
【００２９】
統計学的有意性を持つデータベースを設ける（９１０）と、コミュニティの偏り付けを決定するためのある基準を設ける必要がある（９２０）。その閾値を選択すると、統計学的有意性を持つデータベース９１０は次いで、フィルタリング、ソート、又は評価され、ファン又は加入者の嗜好に関してどのような傾向が存在するかを決定する。上述のように、0〜100のスケール上で約70を越えるアーティストのレーティングが適切且つ有意性のある閾値であると考えられる。ジャンル、又は音楽に関する一貫性のあるテーマを規定するためにアーティストを用いるというのは、ビバルディやモーツァルトが自身の個別の且つ特徴のあるスタイルを有するように、アーティスト達が同じ様な音楽又は同じ種類の音楽を書く傾向があるという事実に起因している。
【００３０】
ファンコミュニティの傾向を決定する（９２０）と、個々のストリーム要素の選択がなされることができる（９３０）。そのようなストリーム要素は一般に、ステップ９２０で設けられたコミュニティの偏り付けの傾向、並びに適用可能なあらゆる著作権法という２つの基準に適合している。アメリカ合衆国では一般に、デジタル・ミレニアム著作権法（DMCA）によって、録音物及び視聴覚著作物(audio-visual works)といった著作権のある作品のそのようなオンライン送信が管理されている。
【００３１】
ストリーム選択ステップ９３０は、２つの送信モードで実現されることができる。１つのモードは、コミュニティファンステーションを選択し、且つ現在聴いている異なる受信者に、異なる個々のストリームが送信されるナローキャストモードである。これに代えて、１つの送信ストリームをファンステーション／コミュニティチャンネルの現在のリスナー全てに同時に配信することができるであろう。これらの送信方法の両方は、DMCAを順守しており、本発明９００を実現することができる代替的な手段を提供する。
【００３２】
個人が、自分がレーティングしようと思うコミュニティチャンネル上のある楽曲を聴取すると、彼又は彼女（まとめて「彼」とする）はプレーヤツールを介してレーティングツールを利用できる状態にされることができる。個人によるそのようなレーティングは次いで、加入者としての彼の選択的設定（preferential settings）において、データベース９１０に記録される。ユーザのレーティングは、コミュニティ及び対応するチャンネルに対して選択されるストリームを決定するために用いられるデータベースの一部を形成することができるので、データストリーム選択９３０に間接的に作用することができる。例えば、アーティストのコミュニティチャンネルに影響を及ぼすには、そのユーザは、そのアーティストのファンである必要がある。
【００３３】
ストリーム選択プロセス９３０が実行されると、そのストリームは（複数の）受信者／加入者にブロードキャストされる（９４０）。次いで受信者は、受信したデータストリームを楽しみ、そのファンステーションに加入することによって示された彼ら自身の嗜好による新しい音楽に触れることができる。従って、カントリーミュージックを好み、Hank Williamsコミュニティチャンネルを選択した個人は、彼が同様に愛好するかもしれないPorter Wagnerによる音楽に触れることができる。同じことが、ラップ及びヒップホップといった現代の音楽の種類、並びに過去に創り出された、現在創り出されている、及び未来に創り出されていく音楽の種類に対して当てはまる。
【００３４】
コミュニティチャンネル／ファンステーションの適合性を保持するために、傾向決定ステップ９２０、ストリーム選択ステップ９３０が、一週間から数ヶ月の範囲のある時間周期の後、再実行(re-engage)されることができる。これによって、ある種類の音楽を楽しむ人達が現在の流行に関連したスタイルから恩恵を受けることが可能となり、ストリーム選択プロセス９３０が現在の嗜好を反映するように更新されることが可能となる。
【００３５】
楽曲、録音物、及び音楽ビデオといった視聴覚著作物に関連するデータストリーム形式の娯楽に対して本発明が強調されてきたが、本発明は又、（個人が好きな、及び嫌いな音楽といった）コンテンツ及び／又は種類に対して表された嗜好に照らして、（DMCAといった）規制スキームの順守が必要となるデータストリーム送信システムに適用可能である。ある自動化されたプロセスは、本発明から恩恵を受けることができる。なぜならば、機械実装されたプロセスは、多種多様の条件下で作動し、地理的な場所、気候、他の環境条件等を含む多種多様の要因に依存する、情報依存及び／又はコンテンツ依存データストリームのようなデータストリームの送信から恩恵を受けることができるからである。例えば、データストリームは、問題解決能力を必要とする状況下で作動する人工知能システムに対して示される命令セットとすることができる。
【００３６】
ソースコードのリストが、本発明の一実施形態を実現することができる、あるソフトウェアの方法を詳細に示す。このリストは、本発明の一実施形態の十分且つ完全な開示を提供するものと考えられる。
【００３７】
本発明は、ある好適な実施形態又は特定の実施形態を参照して説明されてきたが、本発明の範囲又は本発明の構想から逸脱することなく、種々の変更及び更なる変形がなされることができ、その要素が同等のもので置き換えられることができることが理解されるであろう。更に、特定の状況又は材料に適合すべく、本発明の本質的な範囲から逸脱することなく、本発明の教示に対して多くの修正がなされることができる。従って、本発明は、本発明を実施するために本明細書で開示された特定の実施形態に限定されるものではなく、添付の特許請求の範囲の範囲内に含まれる全ての実施形態を含むことが意図される。
【００３８】
ソースコードのテキストリスティング
以下の著作権を有するソースコードは、本発明を実現することが可能な実施形態を提供し、限定のためではなく、例示のために示したものである。以下のソースコードを複製することなしに、その他のソースコード及びそのコンパイルを用いて本発明が実行されてもよい。
【００３９】
【数１】
0005009852.tif 000002
【００４０】
【数２】
0005009852.tif 000003
【００４１】
【数３】
0005009852.tif 000004
【００４２】
【数４】
0005009852.tif 000005
【００４３】
【数５】
0005009852.tif 000006
【００４４】
【数６】
0005009852.tif 000007
【００４５】
【数７】
0005009852.tif 000008
【００４６】
【数８】
0005009852.tif 000009
【００４７】
【数９】
0005009852.tif 000010
【００４８】
【数１０】
0005009852.tif 000011
【００４９】
【数１１】
0005009852.tif 000012
【００５０】
【数１２】
0005009852.tif 000013
【００５１】
【数１３】
0005009852.tif 000014
【００５２】
【数１４】
0005009852.tif 000015
【００５３】
【数１５】
0005009852.tif 000016
【００５４】
【数１６】
0005009852.tif 000017
【００５５】
【数１７】
0005009852.tif 000018
【００５６】
【数１８】
0005009852.tif 000019
【００５７】
【数１９】
0005009852.tif 000020
【００５８】
【数２０】
0005009852.tif 000021
【００５９】
【数２１】
0005009852.tif 000022
【００６０】
【数２２】
0005009852.tif 000023
【００６１】
【数２３】
0005009852.tif 000024
【００６２】
【数２４】
0005009852.tif 000025
【００６３】
【数２５】
0005009852.tif 000026
【００６４】
【数２６】
0005009852.tif 000027
【００６５】
【数２７】
0005009852.tif 000028
【００６６】
【数２８】
0005009852.tif 000029
【００６７】
【数２９】
0005009852.tif 000030
【００６８】
【数３０】
0005009852.tif 000031
【００６９】
【数３１】
0005009852.tif 000032
【００７０】
【数３２】
0005009852.tif 000033
【００７１】
【数３３】
0005009852.tif 000034
【００７２】
【数３４】
0005009852.tif 000035
【００７３】
【数３５】
0005009852.tif 000036
【００７４】
【数３６】
0005009852.tif 000037
【００７５】
【数３７】
0005009852.tif 000038
【００７６】
【数３８】
0005009852.tif 000039
【００７７】
【数３９】
0005009852.tif 000040
【００７８】
【数４０】
0005009852.tif 000041
【００７９】
【数４１】
0005009852.tif 000042
【産業上の利用可能性】
【００８０】
本発明の目的は、より娯楽性の有るオンラインデータフィードを提供することである。
【００８１】
本発明の別の目的は、リスナー／消費者の嗜好により偏り付けされたデータストリームを提供することによって、より娯楽性の有るデータストリームを提供することである。
【００８２】
本発明の更に別の目的は、アーティスト又はジャンルといったデータストリームの重要な構成要素に対して嗜好を表すコミュニティによりデータストリームに偏りを付けることによって、より娯楽性の有るデータストリームを提供することである。
【００８３】
本発明の更に別の目的は、アーティスト又はジャンルといった、前記データストリームによって搬送される音楽に対してコミュニティが表す嗜好によりコミュニティの偏り付けされた音楽データストリームを提供することである。
【００８４】
これら及びその他の本発明の目的及び利点は、以下の本明細書及び添付の図面を概観することで明らかになるであろう。
【図面の簡単な説明】
【００８５】
【図１】アーティスト、この場合はTom Amosの例示的なページを示す。
【図２】ファンステーションのオプションが強調表示された、同様の例示的なアーティストのページを示す。
【図３】図１及び図２に示されるファンステーションのオプションの分離図である。
【図４】図３の拡大図である。
【図５】アーティスト、この場合はTom Amosの代替の例示的なページを示す。
【図６】ファンステーションのオプションが強調表示された、同様の代替の例示的なアーティストのページを示す。
【図７】図５及び図６に示される代替のファンステーションのオプションの分離図である。
【図８】図７の拡大図である。
【図９】本発明において実行されるステップの線図である。
【図１】
0005009852.tif 000043
【図２】
0005009852.tif 000044
【図３】
0005009852.tif 000045
【図４】
0005009852.tif 000046
【図５】
0005009852.tif 000047
【図６】
0005009852.tif 000048
【図７】
0005009852.tif 000049
【図８】
0005009852.tif 000050
【図９】
0005009852.tif 000051